【手続補正書】
【提出日】平成20年1月30日(2008.1.30)
【手続補正１】
【補正対象書類名】明細書
【補正対象項目名】特許請求の範囲
【補正方法】変更
【補正の内容】
【特許請求の範囲】
【請求項１】
第１の導電性シールド構造層、第２の導電性シールド構造層及び第３の導電性シールド構造層を有する導電性シールド構造と、
第１の導電性非遮蔽構造の第１層及び第１の導電性非遮蔽構造の第２層を有する第１の導電性非遮蔽構造と、
第２の導電性非遮蔽構造の第１層及び第２の導電性非遮蔽構造の第２層を有する第２の導電性非遮蔽構造と、
を有し、前記第１の導電性シールド構造層は前記第２の導電性シールド構造層上にあり、前記第２の導電性シールド構造層は前記第３の導電性シールド構造層上にあり、
前記第１の導電性シールド構造層、前記第２の導電性シールド構造層及び前記第３の導電性シールド構造層は、互いに電気的に接続され、
前記第１の導電性非遮蔽構造の第１層は、前記第１の導電性シールド構造層及び前記第２の導電性シールド構造層の間にあり、前記第１の導電性非遮蔽構造の第２層は、前記導電性シールド構造の全層より下にあり、
前記第２の導電性非遮蔽構造の第１層及び前記第２の導電性非遮蔽構造の第２層は、互いに電気的に接続され、
前記第２の導電性非遮蔽構造の第１層は、前記第２の導電性シールド構造層及び前記第３の導電性シールド構造層の間にあり、前記第２の導電性非遮蔽構造の第２層は、前記導電性シールド構造の全層より上にあるようにしたエネルギー調整器。
【請求項２】
前記第１の導電性非遮蔽構造の第２層は、前記導電性シールド構造及び前記第２の導電性非遮蔽構造の全層より下にある請求項１記載のエネルギー調整器。
【請求項３】
前記第２の導電性非遮蔽構造の第２層は、前記導電性シールド構造及び前記第１の導電性非遮蔽構造の全層より上にある請求項１記載のエネルギー調整器。
【請求項４】
前記第１の導電性非遮蔽構造は、当該エネルギー調整器の外側表面の一部をなす１つの導電性バンドにのみ接続する請求項１記載のエネルギー調整器。
【請求項５】
前記第１の導電性非遮蔽構造は、２つの導電性バンドに接続し、各導電性バンドは当該エネルギー調整器の外側表面の一部をなす請求項１記載のエネルギー調整器。
【請求項６】
請求項１記載のエネルギー調整器を有する回路であって、
電力供給源と、
負荷と、
を更に有し、前記導電性シールド構造が、前記負荷から前記電力供給源に至る第１の導電性経路に電気的に接触し、
前記第１の導電性非遮蔽構造及び前記第２の導電性非遮蔽構造の双方が、前記電力供給源から前記負荷に至る第２の導電性経路に電気的に接しているようにした回路。
【請求項７】
第１の導電性シールド構造層、第２の導電性シールド構造層及び第３の導電性シールド構造層を有する導電性シールド構造と、
第１ペアの第１層及び第１ペアの第２層を有する導電性非遮蔽層の第１ペアと、
第２ペアの第１層及び第２ペアの第２層を有する導電性非遮蔽層の第２ペアと、
６つの導電性バンドと、
を有し、前記第１の導電性シールド構造層は、前記第２の導電性シールド構造層より上にあり、前記第２の導電性シールド構造層は、前記第３の導電性シールド構造層より上にあり、
前記第１の導電性シールド構造層、前記第２の導電性シールド構造層及び前記第３の導電性シールド構造層は、互いに電気的に接続され、
前記第１の導電性シールド構造層、前記第２の導電性シールド構造層、前記第３の導電性シールド構造層、前記導電性非遮蔽層の第１ペア及び前記導電性非遮蔽層の第２ペアは、第１の軸及び第２の軸に沿って伸び、
前記第１ペアの第１層は、第１ペアの第１層のオーバーラップ領域と、少なくとも１つの第１ペアの第１層の非オーバーラップ領域とで構成され、
前記第１ペアの第２層は、第１ペアの第２層のオーバーラップ領域と、少なくとも１つの第１ペアの第２層の非オーバーラップ領域とで構成され、
前記第１ペアの第１層及び前記第１ペアの第２層は積層され、前記第１ペアの第１層のオーバーラップ領域及び前記第１ペアの第２層のオーバーラップ領域は互いにオーバーラップし、第１ペアのオーバーラップ領域を規定し、
前記第２ペアの第１層は、第２ペアの第１層のオーバーラップ領域と、少なくとも１つの第２ペアの第１層の非オーバーラップ領域とで構成され、
前記第２ペアの第２層は、第２ペアの第２層のオーバーラップ領域と、少なくとも１つの第２ペアの第２層の非オーバーラップ領域とで構成され、
前記第２ペアの第１層及び前記第２ペアの第２層は積層され、前記第２ペアの第１層のオーバーラップ領域及び前記第２ペアの第２層のオーバーラップ領域は互いにオーバーラップし、第２ペアのオーバーラップ領域を規定し、
前記第２の導電性シールド構造層は、前記第１ペアの第１層及び前記第１ペアの第２層の間にあり、
前記第２の導電性シールド構造層は、前記第２ペアの第１層及び前記第２ペアの第２層の間にあり、
前記第１の導電性シールド構造層、前記第２の導電性シールド構造層、前記第３の導電性シールド構造層は全て、前記第１ペアのオーバーラップ領域の前記第１の軸及び前記第２の軸に沿う或る範囲を超えて前記第１の軸及び前記第２の軸に沿って伸び、
前記第１の導電性シールド構造層、前記第２の導電性シールド構造層、前記第３の導電性シールド構造層は全て、前記第２ペアのオーバーラップ領域の前記第１の軸及び前記第２の軸に沿う或る範囲を超えて前記第１の軸及び前記第２の軸に沿って伸び、
前記６つの導電性バンドの各々は、当該エネルギー調整器の表面の一部を形成し、前記６つの導電性バンドの各々は該６つの導電性バンドの内の他のどれとも物理的に接触しておらず、
前記６つの導電性バンドの内の第１のもの及び前記６つの導電性バンドの内の第２のものの双方は、前記導電性シールド構造に物理的に接触し、
前記６つの導電性バンドの内の第３のもの、前記６つの導電性バンドの内の第４のもの、前記６つの導電性バンドの内の第５のもの及び前記６つの導電性バンドの内の第６のものの各々は、第１ペアの第１層、第１ペアの第２層、第２ペアの第１層及び第２ペアの第２層の少なくとも１つに接触しているようにしたエネルギー調整器。
【請求項８】
前記６つの導電性バンドの内の第３のもの及び前記６つの導電性バンドの内の第４のものの各々は、前記第１ペアの第１層及び前記第１ペアの第２層の双方に接触している請求項７記載のエネルギー調整器。
【請求項９】
前記６つの導電性バンドの内の第５のもの及び前記６つの導電性バンドの内の第６のものの各々は、前記第２ペアの第１層及び前記第２ペアの第２層の双方に接触している請求項７記載のエネルギー調整器。
【請求項１０】
前記６つの導電性バンドの内の第５のものは前記第２ペアの第１層に接触し、前記６つの導電性バンドの内の第６のものは前記第２ペアの第２層に接触している請求項７記載のエネルギー調整器。
【請求項１１】
前記第２の導電性シールド構造層は、前記第１の導電性シールド構造層及び前記第３の導電性シールド構造層の前記第１の軸及び前記第２の軸に沿う或る範囲を超えて、前記第１の軸及び前記第２の軸に沿って伸びる請求項７記載のエネルギー調整器。
【請求項１２】
前記少なくとも１つの第１ペアの第１層の非オーバーラップ領域、前記少なくとも１つの第１ペアの第２層の非オーバーラップ領域、前記少なくとも１つの第２ペアの第１層の非オーバーラップ領域及び前記少なくとも１つの第２ペアの第２層の非オーバーラップ領域のどれも互いにオーバーラップしないようにした請求項７記載のエネルギー調整器。
【請求項１３】
請求項７記載のエネルギー調整器を有する回路であって、
電力供給源と、
負荷と、
を更に有し、前記導電性シールド構造が、前記負荷から前記電力供給源に至る第１の導電性経路に電気的に接触し、
前記第１ペアの第１層、前記第１ペアの第２層、前記第２ペアの第１層及び前記第２ペアの第２層のどれもが、前記電力供給源から前記負荷に至る第２の導電性経路に電気的に接しているようにした回路。